(57)【要約】【課題】回路基板の表面からのフレキシブルリードの浮きが発生し難い電子機器を提供する。【解決手段】本発明に係る電子機器は、機器本体を具え、該機器本体の内部には、シャーシと、該シャーシに固定された回路基板５と、該回路基板５の表面51に接続されたフレキシブルリード６と、該フレキシブルリード６を通じて回路基板５に電気的に接続された電気的構成要素とが配備され、フレキシブルリード６は、その一部が撓曲して該フレキシブルリード６に撓曲部61が形成されることにより、回路基板５の側端面52とシャーシとの間に形成された隙間７を通過して該回路基板５の表面51側から背面側へ延びており、該フレキシブルリード６の先端部が前記電気的構成要素に接続されている。ここで、シャーシには、隙間７を形成している表面領域に突起部44が設けられ、該突起部44にフレキシブルリード６の撓曲部61が係合している。【選択図】図５
2011171965.tif 000002
【特許請求の範囲】
【請求項１】
機器本体を具え、該機器本体の内部には、シャーシと、該シャーシに固定された回路基板と、該回路基板の表面に接続されたフレキシブルリードと、該フレキシブルリードを通じて前記回路基板に電気的に接続された電気的構成要素とが配備され、前記フレキシブルリードは、その一部が撓曲して該フレキシブルリードに撓曲部が形成されることにより、前記回路基板の側端面とシャーシとの間に形成された隙間を通過して該回路基板の表面側から背面側へ延びており、該フレキシブルリードの先端部が前記電気的構成要素に接続されている電子機器において、
前記シャーシには、前記隙間を形成している表面領域に突起部が設けられ、該突起部に前記フレキシブルリードの撓曲部が係合していることを特徴とする電子機器。
【請求項２】
前記回路基板の表面にはコネクタが設置され、該コネクタに前記フレキシブルリードの基端部が接続されており、前記突起部は、前記シャーシの表面領域の内、前記コネクタと略対向する位置に設けられている請求項１に記載の電子機器。
【請求項３】
前記フレキシブルリードは、その基端部が前記回路基板の表面に沿った状態で前記コネクタに接続されている請求項２に記載の電子機器。
【請求項４】
前記コネクタは、前記回路基板の表面の内、前記隙間に近接した位置に設けられている請求項２又は請求項３に記載の電子機器。
【請求項５】
前記シャーシには、前記機器本体内の所定位置にスピーカを設置するためのホルダー部が形成され、該ホルダー部と回路基板の側端面との間に前記隙間が形成されており、前記突起部は、前記ホルダー部の内、前記隙間を形成している表面領域に設けられている請求項１乃至請求項４に記載の電子機器。
【発明の詳細な説明】
【技術分野】
【０００１】
本発明は、デジタルカメラ等の電子機器に関する。
【背景技術】
【０００２】
この種の電子機器においては、図８に示す様に、機器本体の内部に、シャーシ(100)と、該シャーシ(100)に固定された回路基板(101)と、該回路基板(101)の表面に設置されているコネクタ(102)に接続されたフレキシブルリード(103)と、該フレキシブルリード(103)を通じて回路基板(101)に電気的に接続された電気的構成要素（図示せず）とが配備されている。フレキシブルリード(103)は、その一部が撓曲して該フレキシブルリード(103)に撓曲部(104)（以下、第１撓曲部という）が形成されることにより、回路基板(101)の側端面(105)とシャーシ(100)との間に形成された隙間(106)を通過して該回路基板(101)の表面側から背面側へ延びており、該フレキシブルリード(103)の先端部が電気的構成要素に接続されている。
【０００３】
上記電子機器の組み立て工程においては、回路基板(101)とシャーシ(100)との間の隙間(106)にフレキシブルリード(103)を通過させた状態で、フレキシブルリード(103)の基端部(107)をコネクタ(102)に接続する。これにより、フレキシブルリード(103)には、その一部が撓曲して第１撓曲部(104)が形成されることになる。ここで、コネクタ(102)へのフレキシブルリード(103)の接続を容易にするべく、フレキシブルリード(103)の長さ寸法は、該フレキシブルリード(103)がとり得る最短経路よりも大きく設定されている。従って、図８に示す様に、第１撓曲部(104)は隙間(106)から飛び出し、フレキシブルリード(103)は回路基板(101)の表面から浮くことになる。
【０００４】
尚、特許文献１には、図８に示す電子機器において、回路基板(101)の背面にコネクタ(102)が設置され、該コネクタ(102)にフレキシブルリード(103)の基端部(107)が接続された構成が開示されている。
【先行技術文献】
【特許文献】
【０００５】
【特許文献１】特開２００１−２４５０３２号公報
【発明の概要】
【発明が解決しようとする課題】
【０００６】
図８に示す電子機器において、第１撓曲部(104)を隙間(106)に向けて押し込んだ場合、フレキシブルリード(103)は回路基板(101)の背面側にて更に折り返されて撓曲し、これにより、フレキシブルリード(103)には第１撓曲部(104)とは別の第２撓曲部（図示せず）が形成されることになる。このとき、第２撓曲部には、元の真っ直ぐな状態に復元しようとする力（復元力）が生じることになる。よって、第１撓曲部(104)は、第２撓曲部の復元力により隙間(106)から飛び出す方向に付勢され、その結果、第１撓曲部(104)は隙間(106)から再び飛び出して、図８に示す様にフレキシブルリード(103)が回路基板(101)の表面から浮くことになる。
【０００７】
特に近年、電子機器は小型化されており、第１撓曲部(104)を隙間(106)に向けて押し込んだ場合に形成される第２撓曲部は、回路基板(101)の背面側の狭い空間(108)（図８参照）に押し込められることになる。このため、第２撓曲部に生じる復元力は大きく、従って、フレキシブルリード(103)には浮きが発生し易くなっている。
【０００８】
フレキシブルリード(103)に浮きが発生すると、回路基板(101)の表面側に設置されている他の電気的構成要素にフレキシブルリード(103)が接触して該電気的構成要素が損傷する虞や、フレキシブルリード(103)自体が損傷する虞がある。
【０００９】
図９に示す様にフレキシブルリード(103)を所定形状に塑性変形させて、フレキシブルリード(103)に所謂折り癖を付けることにより、フレキシブルリード(103)の浮きを小さくすることが出来る。しかし、フレキシブルリード(103)を塑性変形させることにより、フレキシブルリード(103)内で断線が発生し易くなる。
【００１０】
そこで本発明の目的は、回路基板の表面からのフレキシブルリードの浮きが発生し難い電子機器を提供することである。
【課題を解決するための手段】
【００１１】
本発明に係る電子機器は、機器本体を具え、該機器本体の内部には、シャーシと、該シャーシに固定された回路基板と、該回路基板の表面に接続されたフレキシブルリードと、該フレキシブルリードを通じて前記回路基板に電気的に接続された電気的構成要素とが配備され、前記フレキシブルリードは、その一部が撓曲して該フレキシブルリードに撓曲部が形成されることにより、前記回路基板の側端面とシャーシとの間に形成された隙間を通過して該回路基板の表面側から背面側へ延びており、該フレキシブルリードの先端部が前記電気的構成要素に接続されている。ここで、前記シャーシには、前記隙間を形成している表面領域に突起部が設けられ、該突起部に前記フレキシブルリードの撓曲部が係合している。
【００１２】
上記電子機器の組み立て工程においては、回路基板の側端面とシャーシとの間に形成された隙間にフレキシブルリードを通過させた状態で、フレキシブルリードの基端部を回路基板の表面に接続する。これにより、フレキシブルリードには、その一部が撓曲して撓曲部（以下、第１撓曲部という）が形成されることになる。このとき、第１撓曲部は隙間から飛び出しており、フレキシブルリードは回路基板の表面から浮いている。
【００１３】
その後、第１撓曲部を隙間に向けて押し込むことにより、第１撓曲部が突起部に係合することになる。このとき、フレキシブルリードは回路基板の背面側にて更に折り返されて、該フレキシブルリードの一部が撓曲し、これにより、フレキシブルリードには第１撓曲部とは別の第２撓曲部が形成されることになる。よって、第１撓曲部は、第２撓曲部の復元力により隙間から飛び出す方向に付勢されることになる。しかし、第１撓曲部は、突起部との係合により、第２撓曲部の付勢力に抗して隙間に向けて押し込まれた状態で維持されることになる。
【００１４】
よって、上記電子機器によれば、フレキシブルリードには、回路基板の表面からの浮きが発生し難い。よって、回路基板の表面側に設置されている他の電気的構成要素にフレキシブルリードが接触して該電気的構成要素が損傷することがなく、又、フレキシブルリード自体が損傷することもない。
【００１５】
更に、上記電子機器においては、フレキシブルリードは撓曲するものの、該フレキシブルリードには塑性変形が生じ難い。従って、フレキシブルリード内での断線が発生し難い。
【００１６】
上記電子機器の具体的構成において、前記回路基板の表面にはコネクタが設置され、該コネクタに前記フレキシブルリードの基端部が接続されており、前記突起部は、前記シャーシの表面領域の内、前記コネクタと略対向する位置に設けられている。該具体的構成によれば、突起部にフレキシブルリードの第１撓曲部が係合し易くなる。
【００１７】
より具体的な構成において、前記フレキシブルリードは、その基端部が前記回路基板の表面に沿った状態で前記コネクタに接続されている。
【００１８】
より具体的な他の構成において、前記コネクタは、前記回路基板の表面の内、前記隙間に近接した位置に設けられている。これにより、回路基板の表面において、フレキシブルリードが重なった領域が小さくなる。ここで、回路基板の表面の内、フレキシブルリードが重なる領域は、電子部品の搭載領域又は配線パターンの形成領域として使用することが出来ない領域であり、該具体的構成によればこの領域が小さくなる。よって、回路基板の表面を、広い範囲に亘って、電子部品の搭載領域又は配線パターンの形成領域として有効に利用することが出来る。
【００１９】
上記電子機器の他の具体的構成において、前記シャーシには、前記機器本体内の所定位置にスピーカを設置するためのホルダー部が形成され、該ホルダー部と回路基板の側端面との間に前記隙間が形成されており、前記突起部は、前記ホルダー部の内、前記隙間を形成している表面領域に設けられている。
【発明の効果】
【００２０】
本発明に係る電子機器によれば、回路基板の表面からのフレキシブルリードの浮きが発生し難い。
【図面の簡単な説明】
【００２１】
【図１】図１は、本発明の一実施形態に係るデジタルカメラを示す斜視図である。
【図２】図２は、該デジタルカメラの機器本体の内部に配備されているホルダーシャーシ部を示す斜視図である。
【図３】図３は、該ホルダーシャーシ部に形成されている、スピーカを設置するためのホルダー部を示す斜視図である。
【図４】図４は、デジタルカメラの機器本体の内部構成を示す斜視図である。
【図５】図５は、図４に示されるＡ−Ａ線に沿う断面図である。
【図６】図６は、上記デジタルカメラの組み立て工程にてフレキシブルリードをコネクタに接続する前の状態を示す断面図である。
【図７】図７は、上記デジタルカメラの組み立て工程にてフレキシブルリードをコネクタに接続した後の状態を示す断面図である。
【図８】図８は、従来の電子機器の一例を示す断面図である。
【図９】図９は、従来の電子機器の他の例を示す断面図である。
【発明を実施するための形態】
【００２２】
以下、本発明をデジタルカメラに実施した形態につき、図面に沿って具体的に説明する。
本発明の一実施形態に係るデジタルカメラは、図１に示す様に、機器本体(１)を具えている。該機器本体(１)の前面には、ズームレンズを有する光学レンズユニット(11)が配備され、該機器本体(１)の上面には、レリーズボタン(12)が配備されている。又、機器本体(１)の内部にはスピーカ(２)が配備されており、機器本体(１)の側面には、スピーカ(２)からの音を通過させて外部へ放つ放音孔(13)が設けられている。
【００２３】
機器本体(１)の内部にはシャーシが配備されており、該シャーシは、その構成要素として、図２に示す如くホルダーシャーシ部(３)を具えている。該ホルダーシャーシ部(３)には光学系レンズユニット(11)（図１参照）が取り付けられ、これにより、光学レンズユニット(11)は機器本体(１)に固定されている。
【００２４】
図２に示す様に、ホルダーシャーシ部(３)には、機器本体(１)内の所定位置にスピーカ(２)を設置するためのホルダー部(４)が形成されている。該ホルダー部(４)には、図３に示す様に、スピーカ(２)の放音面を放音孔(13)に向けて露出させるための窓(41)と、ホルダー部(４)内にスピーカ(２)が設置されたときに該スピーカ(２)の側面の一部が当接することとなる当接面(42)と、スピーカ(２)をホルダー部(４)内に留めておくためのフック(43)とが形成されている。ここで、フック(43)は、当接面(42)から延びた片持ち梁部(431)と、該片持ち梁部(431)の先端部に突設されて、スピーカ(２)の背部に当接面(42)とは反対側から係合することとなる爪部(432)とを具えている。
【００２５】
上記ホルダー部(４)によれば、該ホルダー部(４)内にスピーカ(２)が設置されたとき、スピーカ(２)の側面の一部にホルダー部(４)の当接面(42)が当接する一方、スピーカ(２)の背部に当接面(42)とは反対側からフック(43)の爪部(432)が係合することになる。従って、スピーカ(２)は、当接面(42)と爪部(432)とによってホルダー部(４)内に固定されることになる。
【００２６】
機器本体(１)の内部には更に、図４に示す様に回路基板(５)が配備され、該回路基板(５)は、ネジ(30)によってホルダーシャーシ部(３)に固定されている。ここで、回路基板(５)の側端面(52)とホルダー部(４)のフック(43)との間には、隙間(７)が形成されている。
【００２７】
図４及び図５に示す様に、回路基板(５)の表面(51)にはコネクタ(50)が設置され、該コネクタ(50)にはフレキシブルリード(６)の基端部(60)が接続されている。ここで、コネクタ(50)は、回路基板(５)の表面(51)の内、回路基板(５)とフック(43)との間の隙間(７)に近接した位置に設けられている。又、コネクタ(50)には、フレキシブルリード(６)の基端部(60)が回路基板(５)の表面(51)に沿った状態で接続されている。
【００２８】
フレキシブルリード(６)は、その一部が撓曲して該フレキシブルリード(６)に第１撓曲部(61)が形成されることにより、回路基板(５)とフック(43)との間の隙間(７)を通過して該回路基板(５)の表面(51)側から背面側へ延びている。そして、図示していないが、フレキシブルリード(６)の先端部が、回路基板(５)の背面側に配備されている電気的構成要素、具体的には光学レンズユニット(11)のズームレンズを駆動するための別の回路基板に接続されている。斯くして、回路基板(５)には、フレキシブルリード(６)を通じて別の回路基板が電気的に接続されている。
【００２９】
図４及び図５に示す様に、上記フック(43)の片持ち梁部(431)の先端部には、隙間(７)を形成している表面領域の内、コネクタ(50)と略対向する位置に、該コネクタ(50)に向けて突出した突起部(44)が形成されている。そして、該突起部(44)には、フレキシブルリード(６)の第１撓曲部(61)が係合している。
【００３０】
次に、上記デジタルカメラの組み立て工程について、図面に沿って具体的に説明する。該組み立て工程においては、先ず、図６に示す様に、回路基板(５)とフック(43)との間の隙間(７)にフレキシブルリード(６)を通過させる。次に、図７に示す様に、フレキシブルリード(６)の基端部(60)をコネクタ(50)に接続する。これにより、フレキシブルリード(６)には、その一部が撓曲して第１撓曲部(61)が形成されることになる。このとき、第１撓曲部(61)は隙間(７)から飛び出しており、フレキシブルリード(６)は回路基板(５)の表面(51)から浮いている。
【００３１】
その後、第１撓曲部(61)を隙間(７)に向けて押し込む。ここで、回路基板(５)とフック(43)との間の隙間(７)は、第１撓曲部(61)を隙間(７)に向けて押し込んだときに該第１撓曲部(61)が塑性変形することのない幅を有している。
【００３２】
第１撓曲部(61)を隙間(７)に向けて押し込むことにより、図５に示す様に第１撓曲部(61)が突起部(44)に係合することになる。ここで、上記デジタルカメラにおいては、突起部(44)は、コネクタ(50)と略対向する位置に設けられている。従って、第１撓曲部(61)は突起部(44)に係合し易い。
【００３３】
ところで、第１撓曲部(61)を隙間(７)に向けて押し込んだとき、フレキシブルリード(６)は回路基板(５)の背面側にて更に折り返されて撓曲し、これにより、フレキシブルリード(６)には第１撓曲部(61)とは別の第２撓曲部(62)が形成されることになる。よって、第１撓曲部(61)は、第２撓曲部(62)の復元力により隙間(７)から飛び出す方向に付勢されることになる。
【００３４】
しかし、上記デジタルカメラにおいては、フレキシブルリード(６)の第１撓曲部(61)は突起部(44)に係合している。そして、図５に示す様に第２撓曲部(62)が狭い空間(８)に押し込まれて、第２撓曲部(62)に大きな復元力が生じた場合でも、第１撓曲部(61)と突起部(44)との係合は解除され難い。従って、第１撓曲部(61)は、図５に示す様に、第２撓曲部(62)の付勢力に抗して隙間(７)に向けて押し込まれた状態で維持されることになる。
【００３５】
よって、上記デジタルカメラによれば、フレキシブルリード(６)には、回路基板(５)の表面(51)からの浮きが発生し難い。その結果、回路基板(５)の表面(51)側に設置されている他の電気的構成要素にフレキシブルリード(６)が接触して該電気的構成要素が損傷することがなく、又、フレキシブルリード(６)自体が損傷することもない。
【００３６】
更に、上記デジタルカメラにおいては、フレキシブルリード(６)は撓曲するものの、該フレキシブルリード(６)には塑性変形が生じ難い。従って、フレキシブルリード(６)内での断線が発生し難い。
【００３７】
更に又、上記デジタルカメラにおいては、コネクタ(50)は、回路基板(５)の表面(51)の内、回路基板(５)とフック(43)との間の隙間(７)に近接した位置に設けられている。従って、回路基板(５)の表面(51)において、フレキシブルリード(６)が重なった領域が小さくなる。ここで、回路基板(５)の表面(51)の内、フレキシブルリード(６)が重なる領域は、電子部品の搭載領域又は配線パターンの形成領域として使用することが出来ない領域であり、上記デジタルカメラによればこの領域が小さくなる。よって、回路基板(５)の表面(51)を、広い範囲に亘って、電子部品の搭載領域又は配線パターンの形成領域として有効に利用することが出来る。
【００３８】
尚、本発明の各部構成は上記実施の形態に限らず、特許請求の範囲に記載の技術的範囲内で種々の変形が可能である。上記デジタルカメラにおいては、突起部(44)はフック(43)に設けられていたが、本発明はこれに限られるものではない。回路基板(５)の側端面(52)とシャーシとの間に隙間(７)が形成され、該隙間(７)をフレキシブルリード(６)が通過する構成であれば、該隙間(７)の形成しているシャーシの表面領域に突起部(44)を設けることが出来る。又、フレキシブルリード(６)の先端部には、ズームレンズを駆動するための回路基板に限らず、種々の電気的構成要素が接続されていてもよい。
【００３９】
更に又、上記デジタルカメラに採用した各種構成は、デジタルカメラに限らず、種々の電子機器に適用することが可能である。
【符号の説明】
【００４０】
(１)  機器本体
(２)  スピーカ
(３)  ホルダーシャーシ部
(４)  ホルダー部
(43)  フック
(44)  突起部
(５)  回路基板
(50)  コネクタ
(51)  表面
(52)  側端面
(６)  フレキシブルリード
(60)  基端部
(61)  第１撓曲部
(62)  第２撓曲部
(７)  隙間
【図１】
2011171965.tif 000003
【図２】
2011171965.tif 000004
【図３】
2011171965.tif 000005
【図４】
2011171965.tif 000006
【図５】
2011171965.tif 000007
【図６】
2011171965.tif 000008
【図７】
2011171965.tif 000009
【図８】
2011171965.tif 000010
【図９】
2011171965.tif 000011